(57)【要約】【課題】  ピンの組合せで、第一のキーから第二のキーへの変換が可能となり、第二のキーへ変換した後、再び第一のキーへの変換が可能となる可逆変換錠を得る。【解決手段】  中間ピン３５が第一の配置位置ｓｔ１のときに、中間ピン３５とドライバピン３９Ｄとの境をシアーライン５３に一致させる第一のキー１５Ａと、中間ピン３５が第二の配置位置ｓｔ２のときに、中間ピン３５と段付ドライバピン３９Ｆとの境をシアーライン５３に一致させる第二のキー１５Ｂとを具備し、中間ピン５３が第一の配置位置ｓｔ１の際に、第二のキー１５Ｂにて操作することで、中間ピン５３を移動させて第二の配置位置ｓｔ２に変換させるとともに、中間ピン５３が第二の配置位置ｓｔ２のときに操作することで中間ピン５３を第一の配置位置ｓｔ１とさせるリセットキー１５Ｄを具備する。【選択図】      図２
2006322165.tif 000002
【特許請求の範囲】
【請求項１】
外筒と、
キー孔を有し該外筒に回動自在に内設され外周と該外筒の内周とでシアーラインを形成する内筒と、
前記外筒に収容されるドライバピン及び前記内筒に収容されるタンブラピンと、
前記キー孔に挿入され前記タンブラピンと前記ドライバピンとの境を前記シアーラインに一致させる第一のキーと、
前記キー孔に挿入されピン組合せを変換して該第一のキーを使用不能にするとともに、前記タンブラピンと前記ドライバピンとの境を前記シアーラインに一致させる第二のキーと、
前記キー孔に挿入されピン組合せを変換して前記第二のキーを使用不能にするとともに、前記第一のキーを使用可能とするリセットキーと、
を具備したことを特徴とする可逆変換錠。
【請求項２】
外筒と、
キー孔を有し該外筒に回動自在に内設され該外筒の内周とでシアーラインを形成する内筒と、
前記外筒及び該内筒の半径方向に穿設される複数の外筒側ピン収容孔及び複数の内筒側ピン収容孔と、
前記外筒側ピン収容孔に収容されるドライバピンと、
前記内筒側ピン収容孔に収容されるタンブラピンと、
他の外筒側ピン収容孔に収容される段付ドライバピンと、
他の内筒側ピン収容孔に収容される切替タンブラピンと、
前記外筒側ピン収容孔、前記内筒側ピン収容孔、前記他の外筒側ピン収容孔、又は前記他の内筒側ピン収容孔に選択的に収容される一つの中間ピンと、
前記中間ピンが前記ドライバピンとタンブラピンとの間に位置する第一の配置位置のときに、前記キー孔に挿入され前記タンブラピンの後部に配置された前記中間ピンとドライバピンとの境を前記シアーラインに一致させる第一のキーと、
前記中間ピンが前記段付ドライバピンと切替タンブラピンとの間に位置する第二の配置位置のときに、前記キー孔に挿入され前記切替タンブラピンの後部に配置された前記中間ピンと段付ドライバピンとの境を前記シアーラインに一致させる第二のキーと、
を具備し、
前記中間ピンが第一の配置位置の際に、前記第二のキーを挿入することで、前記中間ピンを前記外筒側ピン収容孔へ移動させて該中間ピンと前記タンブラピンとの境を前記シアーラインに一致させ、該第二のキーを所定角度回転させることで前記中間ピンを前記他の内筒側ピン収容孔に移動させて、前記中間ピンを前記段付ドライバピンと切替タンブラピンとの間に収容させ、前記第二の配置位置に変換させるとともに、
前記中間ピンが第二の配置位置のときに、前記キー孔に挿入され所定長引き抜かれることで前記切替タンブラピンの後部に配置された中間ピンを前記段付ドライバピンの収容される前記他の外筒側ピン収容孔へ移動させて該中間ピンと前記切替タンブラピンとの境を前記シアーラインに一致させるとともに、所定角度回転の後、前記所定長押し込まれることで該中間ピンを前記タンブラピンの収容された前記内筒側ピン収容孔へ移動させて該中間ピンと前記段付ドライバピンとの境を前記シアーラインに一致させ、前記所定角度回転と逆方向に所定角度回転することで前記中間ピンを前記第一の配置位置とさせるリセットキーを具備することを特徴とする可逆変換錠。
【請求項３】
外筒と、
キー孔を有し該外筒に回動自在に内設され該外筒の内周とでシアーラインを形成する内筒と、
前記外筒及び該内筒の半径方向に穿設される複数の外筒側ピン収容孔及び複数の内筒側ピン収容孔と、
前記外筒側ピン収容孔に収容されるドライバピンと、
前記内筒側ピン収容孔に収容されるタンブラピンと、
他の外筒側ピン収容孔に収容される段付ドライバピンと、
他の内筒側ピン収容孔に収容される切替タンブラピンと、
前記外筒側ピン収容孔、前記内筒側ピン収容孔、前記他の外筒側ピン収容孔、又は前記他の内筒側ピン収容孔に選択的に収容される一つの中間ピンと、
前記中間ピンが前記ドライバピンとタンブラピンとの間に位置する第一の配置位置のときに、前記キー孔に挿入され前記タンブラピンの後部に配置された前記中間ピンとドライバピンとの境を前記シアーラインに一致させる第一のキーと、
前記中間ピンが前記段付ドライバピンと切替タンブラピンとの間に位置する第二の配置位置のときに、前記キー孔に挿入され前記切替タンブラピンの後部に配置された前記中間ピンと段付ドライバピンとの境を前記シアーラインに一致させる第二のキーと、
を具備し、
前記中間ピンが第一の配置位置の際に、前記第二のキーを挿入することで、前記中間ピンを前記外筒側ピン収容孔へ移動させて該中間ピンと前記タンブラピンとの境を前記シアーラインに一致させ、該第二のキーを所定角度回転させることで前記中間ピンを前記他の内筒側ピン収容孔に移動させて、前記中間ピンを前記段付ドライバピンと切替タンブラピンとの間に収容させ、前記第二の配置位置に変換させるとともに、
前記中間ピンが第二の配置位置のときに、前記キー孔に挿入され前記切替タンブラピンの後部に配置された前記中間ピンと段付ドライバピンとの境を前記シアーラインに一致させて所定角度回転の後、所定長引き抜かれることで前記中間ピンを前記ドライバピンの収容される外筒側ピン収容孔へ移動させて該中間ピンと前記切替タンブラピンとの境を前記シアーラインに一致させるとともに、前記所定角度回転と逆方向に所定角度回転することで前記中間ピンを前記タンブラピンに接触させて前記第一の配置位置とし前記中間ピンと前記タンブラピンとの境を前記シアーラインに一致させるリセットキーを具備したことを特徴とする可逆変換錠。
【請求項４】
前記キー孔に挿入され、前記第一のキーの使用可能状態で中間ピンを前記ドライバピンの収容される外筒側ピン収容孔へ移動させて該中間ピンと前記タンブラピンとの境を前記シアーラインに一致させるとともに、前記第二のキーの使用可能状態で中間ピンを前記段付ドライバピンの収容される他の外筒側ピン収容孔へ移動させて該中間ピンと前記切替タンブラピンとの境を前記シアーラインに一致させるマスターキーを具備したことを特徴とする請求項２又は３記載の可逆変換錠。
【発明の詳細な説明】
【技術分野】
【０００１】
本発明は、１つのシリンダ錠に対し、当初使用される単独となる合鍵を、形状等を変えた新たな合鍵で使用する際に、シリンダ錠を変えることなく、当初の合鍵を使用不可として、合鍵の変更のみでその使用者を新たな使用者に変更が可能な変換錠であって、さらに詳しくは、その逆変換が可能な可逆変換錠に関し、特に、ピンタンブラ式シリンダー錠に用いて好適なものである。
【背景技術】
【０００２】
一般に、賃貸マンションや賃貸アパートなどの賃貸共同住宅は、各戸玄関にシリンダ錠が用いられ、この錠に対し、単独となる合鍵が対応し使用され、施錠・解錠は入居者自身の管理下となる。そして、退去する際には、その合鍵は、マンション等の管理者に返還され、次の新たな入居者に授受されることとなる。
【０００３】
しかしながら、新たな入居者は、直前の入居者と同じ合鍵を用いることには抵抗を感じるものであり、直前の入居者が合鍵をスペアキーとして複製していたり、或いは紛失していた場合など、防犯性が低下し、侵入事件などを引き起こしかねないことから、管理者としては、入退去時に錠を交換することが好ましいこととなる。また、シリンダ錠が交換されていることが、新たな入居者募集時のアピールとなり、新たな入居者は安心してその賃貸物件を借りることが可能となる。
ところが、新たな合鍵での管理となると、シリンダ錠の交換が必須となり、交換工事には、工事期間を要し、高額な費用が発生することとなる。特に居室を多く管理する場合には、鍵の管理が非常に煩雑なものとなる。
【０００４】
従来、上記のような、当初使用の合鍵（以下、第一キーと称す）を、次の使用者へは新たな合鍵（以下、第二キーと称す）にて運用し、以前の合鍵（第一キー）は使用不可となる変換錠が用いられている。
【０００５】
この変換錠には、第一キーと第二キーとが使用可能となる。第二キーの所定位置に形成されたディンプルの深さは、第一キーの同一位置に形成されたディンプルの深さより浅く形成されている。第一キー、第二キーが選択的に挿入されるキー孔の形成された内筒と、この内筒に外挿される外筒とには両者に亘ってピン収容孔が穿設される。このピン収容孔には、キー孔に挿入されたキーのディンプルに先端ピンを進入させるタンブラピンが収容されている。タンブラピンの後部には中間ピンが設けられ、中間ピンは、先端ピンが第一キーのディンプルに進入したときに内筒側ピン収容孔に配置される一方、先端ピンが第二キーのディンプルに進入したときには外筒側ピン収容孔に配置されるようになっている。また、内筒の外周には中間ピンを収容する中間ピン収容凹部が形成されている。
【０００６】
したがって、第一キーの挿入状態では、中間ピンが内筒側ピン収容孔に配置されるので、内筒外周と外筒内周の境であるシアーラインを、タンブラピンが跨ぐことなく、第一キーによる内筒の回動操作が可能となる。一方、第一キーの使用状態から最初に第二キーが挿入されると、中間ピンが外筒側ピン収容孔に配置され、この状態で第二キーが回転されると、中間ピンは、外筒側ピン収容孔に残されたままとなる。そして、内筒の外周に形成された中間ピン収容凹部が中間ピンに一致することで、中間ピンが中間ピン収容凹部に収容保持されることになる。その結果、タンブラピンは、中間ピンの除去された分短くなり、以降第一キーを挿入してもタンブラピンが当初長のものでなくなるため、タンブラピンに接するドライバピンがシアーラインを横断することとなり、内筒が回動不能となって、第一キーが受け付けられなくなる。これにより、以降、第二キーのみの使用が受け付けられるようになる。このような変換錠は、第一キー状態から第二キー状態へと使用状態の変換が一方向で行える非可逆変換錠と称することができる。
【発明の開示】
【発明が解決しようとする課題】
【０００７】
しかしながら、従来の変換錠は、一度第二キーが使用されると、中間ピンが中間ピン収容凹部に保持されたままとなり、その後第一キーを使用したい場合であっても、以降第一キーの使用が受け付けられなくなる不便があった。
【０００８】
また、例えば管理者として、両合鍵状態に対してどちらの状態であっても施解錠操作を可能とする、所謂マスターキーを備えたシステム、及び、第一キー運用から第二キー運用を可能とするとともに、第二キー運用から第一キー運用への再変換を可能とする錠システムとして構築したい場合がある。しかしながら、上記の通り、中間ピンによるタンブラピンの長さを物理的に変更してしまう構成であることから、いずれの使用状態であっても１つのマスターキーにて施解錠可能な状態とすることは不可能であり、このような２種の合鍵とマスターキーとで運用するには、従来では電子錠を使用し、第一キー、第二キー、マスターキーに設定した暗号情報を電子錠により解読させ、それぞれのキーによる使用の可否を設定していたが、装置が高価であるとともに、商用電源やバッテリによる電源供給が必要となり、電源が供給されない場合には動作不能となる不都合があった。
【０００９】
また、入居者の変更の都度、変換錠、合鍵、マスターキーを交換すれば多大な費用が発生した。
このような状況から、電源供給が不要で、第一キーから第二キーへの変換が可能となるとともに、第二キーへ変換した後であっても、再び第一キーへの変換が可能となる変換錠（以下、「可逆変換錠」と称す。）の開発が望まれていた。また、この可逆変換錠は、いずれの変換状態であっても、マスターキーでの使用が可能となる要請がある。
【００１０】
本発明は上記状況に鑑みてなされたもので、その第１の目的は、電源供給が不要で、第一キーから第二キーへの変換が可能となるとともに、第二キーへ変換した後であっても、再び第一キーへの変換が可能となる、すなわち２つの合鍵をそれぞれで運用可能に使用するとともに、どちらかへの変更をすることが可能となる可逆変換錠を提供することにある。また、その第２の目的は、第一キー、第二キーのいずれの変換状態であっても、すなわち２つの合鍵のどちらの使用状態であっても、マスターキーでの施解錠操作が可能となる可逆変換錠を提供することにある。
【課題を解決するための手段】
【００１１】
次に、上記の課題を解決するための手段を、実施の形態に対応する図面を参照して説明する。
本発明の請求項１記載の可逆変換錠１００は、
外筒１１と、
キー孔１７を有し該外筒１１に回動自在に内設され外周と該外筒１１の内周とでシアーライン５３を形成する内筒１３と、
前記外筒１１に収容されるドライバピン３９及び前記内筒１３に収容されるタンブラピン３１と、
前記キー孔１７に挿入され前記タンブラピン３１と前記ドライバピン３９との境を前記シアーライン５３に一致させる第一のキー１５Ａと、
前記キー孔１７に挿入されピン組合せを変換して該第一のキー１５Ａを使用不能にするとともに、前記タンブラピン３１と前記ドライバピン３９との境を前記シアーライン５３に一致させる第二のキー１５Ｂと、
前記キー孔１７に挿入されピン組合せを変換して前記第二のキー１５Ｂを使用不能にするとともに、前記第一のキー１５Ａを使用可能とするリセットキー１５Ｄと、
を具備したことを特徴とする。
【００１２】
この可逆変換錠１００では、第二のキー１５Ｂが使用されることにより、前記第一のキー１５Ａにて境が形成される前記タンブラピン３１と前記ドライバピン３９との組合せが変換されて、この第二のキー１５Ｂでの前記タンブラピン３１と前記ドライバピン３９との組合せとなるこれらタンブラピン３１とドライバピン３９との境をシアーラインとし、第一のキー１５Ａが使用不能となる。そして、第二のキー１５Ｂの使用可能状態において、リセットキー１５Ｄが使用されることにより、第二のキー１５Ｂが使用不能状態になるとともに、第一のキー１５Ａの使用が可能となる状態へ、ピン組合せが変換される。
【００１３】
本発明の請求項２記載の可逆変換錠１００は、
外筒１１と、
キー孔１７を有し該外筒１１に回動自在に内設され該外筒１１の内周とでシアーライン５３を形成する内筒１３と、
前記外筒１１及び該内筒１３の半径方向に穿設される複数の外筒側ピン収容孔２５及び複数の内筒側ピン収容孔２７と、
前記外筒側ピン収容孔２５Ｄに収容されるドライバピン３９Ｄと、
前記内筒側ピン収容孔２７Ｄに収容されるタンブラピン３１Ｄと、
他の外筒側ピン収容孔２５Ｆに収容される段付ドライバピン３９Ｆと、
他の内筒側ピン収容孔２７Ｆに収容される切替タンブラピン３１Ｆと、
前記外筒側ピン収容孔２５Ｄ、前記内筒側ピン収容孔２７Ｄ、前記他の外筒側ピン収容孔２５Ｆ、又は前記他の内筒側ピン収容孔２７Ｆに選択的に収容される一つの中間ピン３５と、
前記中間ピン３５が前記ドライバピン３９Ｄとタンブラピン３１Ｄとの間に位置する第一の配置位置ｓｔ１のときに、前記キー孔１７に挿入され前記タンブラピン３１Ｄの後部に配置された前記中間ピン３５とドライバピン３９Ｄとの境を前記シアーライン５３に一致させる第一のキー１５Ａと、
前記中間ピン３５が前記段付ドライバピン３９Ｆと切替タンブラピン３１Ｆとの間に位置する第二の配置位置ｓｔ２のときに、前記キー孔１７に挿入され前記切替タンブラピン３１Ｆの後部に配置された前記中間ピン３５と前記段付ドライバピン３９Ｆとの境を前記シアーライン５３に一致させる第二のキー１５Ｂと、
を具備し、
前記中間ピン３５が第一の配置位置ｓｔ１の際に、前記第二のキー１５Ｂを挿入することで、前記中間ピン３５を前記外筒側ピン収容孔２５Ｄへ移動させて該中間ピン３５と前記タンブラピン３１Ｄとの境を前記シアーライン５３に一致させ、該第二のキー１５Ｂを所定角度回転させることで前記中間ピン３５を前記他の内筒側ピン収容孔３１Ｆに移動させて、前記中間ピン３５を前記段付ドライバピン３９Ｆと切替タンブラピン３１Ｆとの間に収容させ、前記第二の配置位置ｓｔ２に変換させるとともに、
前記中間ピン３５が第二の配置位置ｓｔ２のときに、前記キー孔１７に挿入され所定長ｌ引き抜かれることで前記切替タンブラピン３１Ｆの後部に配置された中間ピン３５を前記段付ドライバピン３９Ｆの収容される前記他の外筒側ピン収容孔２５Ｆへ移動させて該中間ピン３５と前記切替タンブラピン３１Ｆとの境を前記シアーライン５３に一致させるとともに、所定角度回転の後、前記所定長ｌ押し込まれることで該中間ピン３５を前記タンブラピン３１Ｄの収容された前記内筒側ピン収容孔２７Ｄへ移動させて該中間ピン３５と前記段付ドライバピン３９Ｆとの境を前記シアーライン５３に一致させ、前記所定角度回転と逆方向に所定角度回転することで前記中間ピン３５を前記第一の配置位置ｓｔ１とさせるリセットキー１５Ｄを具備することを特徴とする。
【００１４】
この可逆変換錠１００では、第一のキー１５Ａを使用している状態で、第二のキー１５Ｂが使用されることにより、第一のキー１５Ａが使用不能となる。その後、リセットキー１５Ｄが使用されることにより、第二のキー１５Ｂの使用状態から、第一のキー１５Ａの使用状態へ変更が可能となる。このリセットキー１５Ｄでは、第二のキー１５Ｂの使用状態で、切替タンブラピン３１Ｆの収容された他の内筒側ピン収容孔２７Ｆに位置する中間ピン３５が、段付ドライバピン３９Ｆの収容される他の外筒側ピン収容孔２５Ｆへ一旦移動される。この状態でリセットキー１５Ｄと共に内筒１３が所定角度回転された後、リセットキー１５Ｄが所定長押し込まれることで、中間ピン３５がタンブラピン３１Ｄの収容された内筒側ピン収容孔２７Ｄへ移動される。これにより、中間ピン３５が、第一のキー１５Ａの使用可能なピン組合せ位置に配置変換される。
【００１５】
請求項３記載の可逆変換錠２００は、
外筒１１と、
キー孔１７を有し該外筒１１に回動自在に内設され該外筒１１の内周とでシアーライン５３を形成する内筒１３と、
前記外筒１１及び該内筒１３の半径方向に穿設される複数の外筒側ピン収容孔２５及び複数の内筒側ピン収容孔２７と、
前記外筒側ピン収容孔２５Ｄに収容されるドライバピン３９Ｄと、
前記内筒側ピン収容孔２７Ｄに収容されるタンブラピン３１Ｄと、
他の外筒側ピン収容孔２５Ｆに収容される段付ドライバピン３９Ｆと、
他の内筒側ピン収容孔２７Ｆに収容される切替タンブラピン３１Ｆと、
前記外筒側ピン収容孔２５Ｄ、前記内筒側ピン収容孔２７Ｄ、前記他の外筒側ピン収容孔２５Ｆ、又は前記他の内筒側ピン収容孔２７Ｆに選択的に収容される一つの中間ピン３５と、
前記中間ピン３５が前記ドライバピン３９Ｄとタンブラピン３１Ｄとの間に位置する第一の配置位置ｓｔ１のときに、前記キー孔１７に挿入され前記タンブラピン３１Ｄの後部に配置された前記中間ピン３５とドライバピン３９Ｄとの境を前記シアーライン５３に一致させる第一のキー１５Ａと、
前記中間ピン３５が前記段付ドライバピン３９Ｆと切替タンブラピン３１Ｆとの間に位置する第二の配置位置ｓｔ２のときに、前記キー孔１７に挿入され前記切替タンブラピン３１Ｆの後部に配置された前記中間ピン３５と前記段付ドライバピン３９Ｆとの境を前記シアーライン５３に一致させる第二のキー１５Ｂと、
を具備し、
前記中間ピン３５が第一の配置位置ｓｔ１の際に、前記第二のキー１５Ｂを挿入することで、前記中間ピン３５を前記外筒側ピン収容孔２５Ｄへ移動させて該中間ピン３５と前記タンブラピン３１Ｄとの境を前記シアーライン５３に一致させ、該第二のキー１５Ｂを所定角度回転させることで前記中間ピン３５を前記他の内筒側ピン収容孔３１Ｆに移動させて、前記中間ピン３５を前記段付ドライバピン３９Ｆと切替タンブラピン３１Ｆとの間に収容させ、前記第二の配置位置ｓｔ２に変換させるとともに、
前記中間ピン３５が第二の配置位置ｓｔ２のときに、前記キー孔１７に挿入され前記切替タンブラピン３１Ｆの後部に配置された前記中間ピン３５と段付ドライバピン３９Ｆとの境を前記シアーライン５３に一致させて所定角度回転の後、所定長ｌ引き抜かれることで前記中間ピン３５を前記ドライバピン３９Ｄの収容される外筒側ピン収容孔２５Ｄへ移動させて該中間ピン３５と前記切替タンブラピン３１Ｆとの境を前記シアーライン５３に一致させるとともに、前記所定角度回転と逆方向に所定角度回転することで前記中間ピン３５を前記タンブラピン３１Ｄに接触させて前記第一の配置位置ｓｔ１とし前記中間ピン３５と前記タンブラピン３１Ｄとの境を前記シアーライン５３に一致させるリセットキー１５Ｅを具備したことを特徴とする。
【００１６】
この可逆変換錠２００では、第一のキー１５Ａを使用している状態で、第二のキー１５Ｂが使用されることにより、第一のキー１５Ａが使用不能となる。その後、リセットキー１５Ｅが使用されることにより、第二のキー１５Ｂの使用状態から、第一のキー１５Ａの使用状態へ変更が可能となる。このリセットキー１５Ｅでは、キー孔１７に挿入され、所定角度回転されることにより、第二のキー１５Ｂの使用状態で、切替タンブラピン３１Ｆの収容された他の内筒側ピン収容孔２７Ｆに位置する中間ピン３５がドライバピン３９Ｄの収容される外筒側ピン収容孔２５Ｄへ一旦移動される。この状態でリセットキー１５Ｅを所定長ｌ引き抜くことで、切替タンブラピン３１Ｆの後部に配置された中間ピン３５がドライバピン３９Ｄの収容される外筒側ピン収容孔２５Ｄへ移動される。さらに、上記の所定角度回転と逆方向に所定角度回転することで、中間ピン３５が、第一のキー１５Ａの使用可能なピン組合せ位置（第一の配置位置ｓｔ１）に配置変換される。
【００１７】
請求項４記載の可逆変換錠１００，２００は、前記キー孔１７に挿入され、前記第一のキー１５Ａの使用可能状態で中間ピン３５を前記ドライバピン３９Ｄの収容される外筒側ピン収容孔２５Ｄへ移動させて該中間ピン３５と前記タンブラピン３１Ｄとの境を前記シアーライン５３に一致させるとともに、前記第二のキーの使用可能状態で中間ピン３５を前記段付ドライバピン３９Ｆの収容される他の外筒側ピン収容孔２５Ｆへ移動させて該中間ピン３５と前記切替タンブラピン３１Ｆとの境を前記シアーライン５３に一致させるマスターキー１５Ｃを具備したことを特徴とする。
【００１８】
この可逆変換錠１００，２００では、中間ピン３５が、第一のキー１５Ａの使用可能なピン組合せ位置、すなわち、タンブラピン３１Ｄの収容される内筒側ピン収容孔２７Ｄ、に配置されている場合、或いは第二のキー１７Ｂの使用可能なピン組合せ位置、すなわち、切替タンブラピン３１Ｆの収容される内筒側ピン収容孔２７Ｆ、に配置されている、いずれの場合であっても、中間ピン３５とタンブラピン３１Ｄとの境、或いは中間ピン３５と切替タンブラピン３１Ｆとの境をシアーライン５３に一致させることができる。
【発明の効果】
【００１９】
本発明に係る請求項１記載の可逆変換錠によれば、ピン組合せを変換して第二のキーを使用不能にするとともに、第一のキーを使用可能とするリセットキーを備えたので、第二のキーが使用されることにより、第一のキーが使用不能となった後、リセットキーが使用されることにより、第二のキーの使用可能状態から、第一のキーの使用可能状態へピン組合せが変換されることとなる。これにより、電源供給等が不要で、第一のキーから第二のキーへの変換が可能となるとともに、第二のキーへ変換した後であっても、再び第一のキーへの変換が可能となる可逆変換錠を得ることができる。このようなことから、例えば、賃貸住宅などで、入居者が入れ替わる場合などに、以前の入居者が使用していた合鍵を使用不可とし、新たに入居する者には、シリンダ錠を変えることなく、新たに合鍵を提供することが可能となり、また、その逆も可能となる。
【００２０】
請求項２記載の可逆変換錠によれば、所定長引き抜かれることで切替タンブラピンの後部に配置された中間ピンを段付ドライバピンの収容される他の外筒側ピン収容孔へ移動させて中間ピンと切替タンブラピンとの境をシアーラインに一致させるとともに、所定角度回転の後、所定長押し込まれることで中間ピンをタンブラピンの収容された内筒側ピン収容孔へ移動させて中間ピンと段付ドライバピンとの境をシアーラインに一致させるリセットキーとを備えたので、第二のキーが使用されることにより、第一のキーが使用不能となった後、リセットキーが使用されることにより、第二のキーの使用状態で、切替タンブラピンの収容された他の内筒側ピン収容孔に位置する中間ピンを、段付ドライバピンの収容される他の外筒側ピン収容孔へ一旦移動させ、この状態でリセットキーと共に内筒を所定角度回転の後、リセットキーを所定長押し込むことで、中間ピンをタンブラピンの収容された内筒側ピン収容孔へ移動させることができる。つまり、中間ピンが、第一のキーの使用可能なピン組合せ位置である第一の配置位置に配置変換されることとなる。これにより、電源供給等が不要で、第一のキーから第二のキーへの変換が機構的に可能となるとともに、第二のキーへ変換した後であっても、再び第一のキーへの変換が機構的に可能となる可逆変換錠を得ることができる。
【００２１】
請求項３記載の可逆変換錠によれば、リセットキーが所定角度回転されることにより、第二のキーの使用状態で、切替タンブラピンの収容された他の内筒側ピン収容孔に位置する中間ピンを、ドライバピンの収容される外筒側ピン収容孔へ一旦移動させ、この状態でリセットキーを所定長引き抜くことで、切替タンブラピンの後部に配置された中間ピンをドライバピンの収容される外筒側ピン収容孔へ移動させ、上記の所定角度回転と逆方向に所定角度回転することで、中間ピンが、第一のキーの使用可能なピン組合せ位置である第一の配置位置に配置変換されることとなる。これにより、電源供給等が不要で、第一のキーから第二のキーへの変換が機構的に可能となるとともに、第二のキーへ変換した後であっても、再び第一のキーへの変換が機構的に可能となる可逆変換錠を得ることができる。
【００２２】
請求項４記載の可逆変換錠によれば、中間ピンを、ドライバピンの収容される外筒側ピン収容孔へ移動させて中間ピンとタンブラピンとの境をシアーラインに一致させるとともに、中間ピンを、段付ドライバピンの収容される外筒側ピン収容孔へ移動させて中間ピンと切替タンブラピンとの境をシアーラインに一致させるマスターキーを備えたので、中間ピンが、第一のキーの使用可能なピン組合せ位置に配置されている場合、或いは第二のキーの使用可能なピン組合せ位置に配置されているいずれの場合であっても、中間ピンとタンブラピンとの境、或いは中間ピンと切替タンブラピンとの境をシアーラインに一致させることができる。これにより、第一のキー、第二のキーのいずれの変換状態であっても、マスターキーでの使用が可能となる可逆変換錠を得ることができる。このようなことから、例えば、賃貸住宅などで、入居者が入れ替わる場合などに、以前の入居者が使用していた合鍵を使用不可とし、新たに入居する者には、シリンダ錠を変えることなく、新たに合鍵を提供することが可能となり、また、その逆も可能となるとともに、その賃貸住宅の管理者は、どちらのキーの状態であっても使用可能なキーであるマスターキーで管理が可能となる。
【発明を実施するための最良の形態】
【００２３】
以下、本発明に係る可逆変換錠の好適な実施の形態を図面を参照して詳細に説明する。
［第１の実施の形態］
図１は本発明に係る第１の実施の形態の可逆変換錠の斜視図、図２は図１に示した可逆変換錠の軸線直交方向の断面図、図３は図２に示した可逆変換錠の分解断面図、図４は第一のキー、第二のキー、マスターキー及びリセットキーの要部平面視とその断面を表した説明図である。
【００２４】
図１に示すように、この第１の実施の形態の可逆変換錠１００は、円筒状の外筒１１に、円筒状の内筒１３が回転自在に内設され、内筒１３の前端面１３ａにはキー（後述する第一のキー１５Ａ、第二のキー１５Ｂ、マスターキー１５Ｃ、リセットキー１５Ｄ）１５の挿入されるキー孔１７が開口されている。
【００２５】
キー１５は、手指で摘む摘み部１９の一辺部に、キー孔１７に挿入される挿入部２１が突設され、挿入部２１の外面には複数の凹部状のキー溝（ディンプル）２３が形成されている。本実施の形態による可逆変換錠１００に用いられる第一のキー１５Ａ、第二のキー１５Ｂ、マスターキー１５Ｃ、リセットキー１５Ｄは、図４に示すように、同一位置（Ａ−Ａ断面，Ｂ−Ｂ断面，Ｃ−Ｃ断面，Ｄ−Ｄ断面）に形成される所定のディンプル２３の深さ形状が異なる。
【００２６】
すなわち、図４（ａ）に示すように、第一のキー１５Ａは、Ａ−Ａ断面の所定位置にディンプル２３Ａ１，２３Ａ２が形成され、ディンプル２３Ａ１は浅く、ディンプル２３Ａ２は深い。
【００２７】
図４（ｂ）に示すように、第二のキー１５Ｂは、Ｂ−Ｂ断面の所定位置に、ディンプル２３Ｂ１，２３Ｂ２，２３Ｂ３が形成され、ディンプル２３Ｂ１，２３Ｂ２は浅く、ディンプル２３Ｂ３は側縁に形成される。
【００２８】
図４（ｃ）に示すように、マスターキー１５Ｃは、Ｃ−Ｃ断面の所定位置に、ディンプル２３Ｃ１，２３Ｃ２が形成され、ディンプル２３Ｃ１，２３Ｃ２は浅い。
【００２９】
図４（ｄ）に示すように、リセットキー１５Ｄは、Ｄ−Ｄ断面の所定位置に、ディンプル２３Ｄ１，２３Ｄ２，２３Ｄ３が形成される。ディンプル２３Ｄ１は、Ｅ−Ｅ断面に亘る長穴で形成され、浅く形成される。ディンプル２３Ｄ２は、Ｅ−Ｅ断面の位置に至る長穴で形成され、Ｄ−Ｄ断面でディンプル２３Ｄ２ａとなって深く、Ｅ−Ｅ断面でディンプル２３Ｄ２ｂとなって浅く形成される。すなわち、ディンプル底面が傾斜面で形成される。また、ディンプル２３Ｄ３は、Ｄ−Ｄ断面の側縁に形成される。
【００３０】
ここで、上記した各キー１５Ａ，１５Ｂ，１５Ｃ，１５Ｄのそれぞれのディンプルの深さは、後述する中間ピン３５の長さに対応するように形成されており、浅いディンプルの底から深いディンプルの底までの深さ距離の差分が、中間ピン３５の長さとされている。また、リセットキー１５Ｄにおける長穴の長さは、キーの長手方向に沿い、すなわち、後述するキー孔１７の軸線方向に複数配設される各タンブラピンの間隔距離であるタンブラピッチＬの半分の長さｌに設定される（図１１（ａ）（ｃ）参照）。
【００３１】
図２に示すように、キー孔１７の形成された内筒１３と、この内筒１３に外挿される外筒１１とには、両者に亘って複数のピン収容孔が穿設されている。各ピン収容孔は、外筒１１には外筒側ピン収容孔２５が、内筒１３には内筒側ピン収容孔２７が穿設される。それぞれのピン収容孔には、キー孔１７に挿入されたキー１５のディンプル２３に先端ピン２９Ａ〜２９Ｅを進入させる複数のタンブラピン３１Ａ〜３１Ｅが収容されている。なお、図２にはキー孔軸線垂直方向の断面に配設されるタンブラピン３１Ａ〜３１Ｅの組を表すが、可逆変換錠１００にはキー孔軸線方向の異なる位置にさらに複数組のタンブラピンが放射状に配設されている。
【００３２】
それぞれのタンブラピン３１Ａ〜３１Ｅは、対応するディンプル２３の深さ、位置に対応してキー孔１７に対しての突出位置、突出長さが設定されている。本実施の形態では、複数のタンブラピン３１Ａ〜３１Ｅのうち、例えばその一つのタンブラピン３１Ｄの後部に、中間ピン３５が移動可能に配置される。
【００３３】
図３に示すように、外筒側ピン収容孔２５の外周開口は、蓋３７によって塞がれる。また、外筒側ピン収容孔２５にはドライバピン３９が収容されている。蓋３７とドライバピン３９との間にはバネ４１が挟入され、バネ４１はドライバピン３９を介してタンブラピン３１Ａ〜３１Ｅをキー孔１７内へ突出させる方向へ付勢している。これらタンブラピン３１Ａ〜３１Ｅとドライバピン３９とのそれぞれの長さの組み合わせでシアーライン５３（図２参照）が揃うようになっている。シアーライン５３は、内筒１３の外周と、外筒１１の内周との境界に形成される。このシアーライン５３に、タンブラピンとドライバピンとの境が配置されることで、内筒１３が回動可能となる。一方、タンブラピン又はドライバピンがシアーライン５３を横断することで、内筒１３の回転が阻止される。複数組のタンブラピン、及びこれらタンブラピンとドライバピンとの長さの組み合わせによって、多数のカギ違いが実現される。
【００３４】
外筒１１には他の外筒側ピン収容孔としての段付の外筒側ピン収容孔２５Ｆが形成され、外筒側ピン収容孔２５Ｆは段付ドライバピン３９Ｆを収容している。段付ドライバピン３９Ｆは、外筒側ピン収容孔２５Ｆの段部５５に、凸部５６を当接することで、先端がシアーライン５３に一致する。すなわち先端がシアーライン５３より突出しないようになっている。この段付ドライバピン３９Ｆは、バネ４１の付勢力に抗して半径方向外側へ後退可能となっている。
【００３５】
内筒１３には他の内筒側ピン収容孔としての内筒側ピン収容孔２７Ｆが形成され、内筒側ピン収容孔２７Ｆは切替タンブラピン３１Ｆを収容している。切替タンブラピン３１Ｆは、頭部５７の厚みが、内筒側ピン収容孔２７Ｆの深さより小さく設定されている。したがって、切替タンブラピン３１Ｆは、頭部５７が段付ドライバピン３９Ｆに接した状態（図２の状態）から、さらに半径方向内側へ移動可能となっている。
【００３６】
また、中間ピン３５は、上述したように、その長さがキーのディンプルの深さで設定されている。中間ピン３５は、内筒側ピン収容孔２７Ｄ、外筒側ピン収容孔２５Ｄ、内筒側ピン収容孔２７Ｆ及び外筒側ピン収容孔２５Ｆに、ドライバピン３９Ｄ、タンブラピン３１Ｄ、段付ドライバピン３９Ｆ又は切替タンブラピン３１Ｆのそれぞれを軸線方向へ移動することにより、選択的に収容可能となっている。
【００３７】
次に、上記のように構成された可逆変換錠１００の動作を説明する。
図５は第一のキーが挿入された状態の断面図、図６は第一のキーが時計回りに回転された状態の断面図である。
この可逆変換錠１００は、外筒１１に対し内筒１３を９０°回転させる操作にて施解錠の行われる構成とされる。本実施の形態では、その回転角度の略中間位置となる４５°の回動範囲でピン組合せが変換される。
【００３８】
図２，図５に示すように、可逆変換錠１００は、第一のキー１５Ａにて使用される状態とされている。この状態では、中間ピン３５が、ドライバピン３９Ｄとタンブラピン３１Ｄとの間に位置する第一の配置位置ｓｔ１となる。
【００３９】
この状態においては、先ず、図５に示すように、可逆変換錠１００のキー孔１７に第一のキー１５Ａが挿入されると、それぞれのディンプル２３にタンブラピン３１Ａ〜３１Ｅの先端ピン２９Ａ〜２９Ｅが進入し、その結果、タンブラピン３１Ａ〜３１Ｅの後端とドライバピン３９との境が内筒１３と外筒１１との境であるシアーライン５３に一致する。
【００４０】
中間ピン３５は、第一の配置位置ｓｔ１にてタンブラピン３１Ｄに接して位置し、、タンブラピン３１Ｄの後端である中間ピン３５の後面、すなわち中間ピン３５とドライバピン３９Ｄとの境がシアーライン５３に一致する。
【００４１】
このように、第一のキー１５Ａは、タンブラピン３１Ｄの後部に配置された中間ピン３５とドライバピン３９Ｄとの境をシアーライン５３に一致させる。
また、切替タンブラピン３１Ｆと段付ドライバピン３９Ｆとの境もシアーライン５３に一致する。
これにより、第一のキー１５Ａが回転（右回転）されると、図６に示すように、それぞれのタンブラピン３１Ａ〜３１Ｅが内筒側ピン収容孔２７に収容された状態で、内筒１３が回転可能（施解錠操作可能）となる。なお、図６では、第一のキー１５Ａが約４５°回転した状態である。
そして、第一のキー１５Ａは、水平姿勢まで、９０度の回転角範囲で回転され、この結果、施解錠が可能となる。
【００４２】
図７は第二のキーが挿入された状態の断面図、図８は第二のキーが時計回りに回転された状態の断面図、図９は第二のキーへの変換が完了した状態の断面図、図１０は第二のキーが抜かれた状態の断面図である。
一方、入居者が変わり、第一のキー１５Ａが管理者に返却され、新たな入居者が決定すると、管理者は、新たな入居者に第二のキー１５Ｂを貸与する。第一のキー１５Ａの使用可能状態において、図７に示すように、最初に第二のキー１５Ｂが挿入されると、第一の配置位置ｓｔ１に対応するディンプル２３Ｂ２が、第一のキー１５Ａのディンプル２３Ａ２に比べて浅いため、タンブラピン３１Ｄが中間ピン３５を、ドライバピン３９Ｄ側の外筒側ピン収容孔２５Ｄへと押し出す。すなわち、第二のキー１５Ｂは、中間ピン３５を外筒側ピン収容孔２５Ｄへ移動させて、中間ピン３５とタンブラピン３１Ｄとの境をシアーライン５３に一致させる。
【００４３】
その後、図８に示すように、第二のキー１５Ｂが時計回りに回転されると、本実施の形態では約４５°の回転位置で、内筒側ピン収容孔２７Ｆが外筒側ピン収容孔２５Ｄに一致し、外筒側ピン収容孔２５Ｄに押し出されていた中間ピン３５が、ドライバピン３９Ｄ，バネ４１によって内筒側ピン収容孔２７Ｆへと押し込まれる。これにより、中間ピン３５は、切替タンブラピン３１Ｆを押圧しながら、内筒側ピン収容孔２７Ｆへと収容される。中間ピン３５に押圧された切替タンブラピン３１Ｆは、先端ピン２９Ｆをキー孔１７へ突出させる。キー孔１７へ突出された先端ピン２９Ｆは、第二のキー１５Ｂのディンプル２３Ｂ３へ進入する。
【００４４】
図８の状態から、そのまま、施解錠の操作は可能となる。すなわち、上記約４５°の回転位置から、さらに約４５°回転させることで、施錠操作となる。そして、この上記した図８に示す位置にて、第一のキー１５Ａから第二のキーＢへの変換が完了し、以降第二のキーＢでの施解錠運用となる。その後、図９に示すように、キーの抜挿位置へ反時計回りに回転して戻すと、他の内筒側ピン収容孔２７Ｆが他の外筒側ピン収容孔２５Ｆに一致し、他の内筒側ピン収容孔２７Ｆに収容された中間ピン３５が、段付ドライバピン３９Ｆに接触することとなり、すなわち中間ピン３５は第二の配置位置ｓｔ２となる。その後、図１０に示すように、第二のキー１５Ｂがキー孔１７より抜かれることで、第一のキー１５Ａでの操作が不可能となる。そして、第二のキー１５Ｂへの変換が完了した後には、切替タンブラピン３１Ｆの先端ピン２９Ｆがキー孔１７に突出するため、ディンプル２３Ｂ３の無い第一のキー１５Ａの使用は不能となる。
【００４５】
なお、図８の状態から、第二のキー１５Ｂを反時計回りに約４５°回転する操作手順としても良く、上記のように施錠操作としなくともよい。すなわち、上記同様に、第二のキー１５Ｂを挿入し（図７）、そして約４５°の回転を行い（図８）、次に、図９に示すように、反時計回りに回転して戻すと、他の内筒側ピン収容孔２７Ｆが他の外筒側ピン収容孔２５Ｆに一致し、内筒側ピン収容孔２７Ｆに収容された中間ピン３５が、段付ドライバピン３９Ｆに接触する。その後、図１０に示すように、第二のキー１５Ｂが抜かれることで、第一のキー１５Ａから第二のキー１５Ｂへの変換が完了する。第二のキー１５Ｂへの変換が完了した後には、切替タンブラピン３１Ｆの先端ピン２９Ｆがキー孔１７に突出するため、ディンプル２３Ｂ３の無い第一のキー１５Ａの使用は不能となる。
【００４６】
図１１はリセットキー押し込み状態を（ａ）、同状態においての断面図を（ｂ）、所定長引き抜き状態を（ｂ）、同状態においての断面図を（ｄ）で表した説明図、図１２はリセットキーを引き抜き状態で反時計回りに回転させた状態の断面図、図１３はリセットキーが押し込まれた状態の断面図、図１４はリセットを終えたリセットキーが垂直位置へ回転される状態の断面図である。
次に、上記入居者が退去することとなった場合、第二のキー１５Ｂが管理者へ返却される。この際、可逆変換錠１００は、リセットキー１５Ｄのリセット操作により、第二のキー１５Ｂの使用可能状態から、再び第一のキー１５Ａの使用可能状態へとピン組合せが変換される。
【００４７】
このリセットは、先ず、リセットキー１５Ｄがキー孔１７へ挿入される。図１１（ａ）に示すように、リセットキー１５Ｄは、最初、キー孔１７の最深まで挿入される。これにより、図１１（ｂ）に示すように、タンブラピン３１Ｄの先端ピン２９Ｄがディンプル２３Ｄ２ａに進入し、切替タンブラピン３１Ｆの先端ピン２９Ｆがディンプル２３Ｄ３に進入する。
【００４８】
この状態からリセットキー１５Ｄが、図１１（ｃ）に示すように、所定長（Ｄ−Ｄ断面とＥ−Ｅ断面間の距離）である半ピッチ分の距離ｌ引き抜かれる（矢線Ｐ）と、図１１（ｄ）に示すように、タンブラピン３１Ｄがディンプル２３Ｄ２ｂに進入するとともに、切替タンブラピン３１Ｆがディンプル２３Ｄ３から外れ、半径方向外側へ移動される。これにより、ドライバピン３９Ｄとタンブラピン３１Ｄとの境がシアーライン５３に一致するとともに、中間ピン３５が他の外筒側ピン収容孔２５Ｆへ押し出され、中間ピン３５と切替タンブラピン３１Ｆとの境がシアーライン５３に一致し、リセットキー１５Ｄが回動可能となる。
【００４９】
図１１（ｄ）に示した状態からリセットキー１５Ｄが反時計回りに４５°回転されると、図１２に示すように、中間ピン３５を収容した他の外筒側ピン収容孔２５Ｆに、タンブラピン３１Ｄを収容した内筒側ピン収容孔２７Ｄが一致する。この状態で、再びリセットキー１５Ｄが最深まで押し込まれる（図１１（ａ）参照）と、図１３に示すように、タンブラピン３１Ｄが深いディンプル２３Ｄ２ａに進入し、半径方向内側へ移動する結果、中間ピン３５が内筒側ピン収容孔２７Ｄへと移動される。なお、この状態では未だリセットキー１５Ｄは抜脱不能となる。
【００５０】
このように、リセットキー１５Ｄは、所定長ｌ引き抜かれることで切替タンブラピン３１Ｆの後部に配置された中間ピン３５を段付ドライバピン３９Ｆの収容される他の外筒側ピン収容孔２５Ｆへ移動させて、中間ピン３５と切替タンブラピン３１Ｆとの境をシアーライン５３に一致させる。また、所定角度回転（反時計回り約４５°回転）の後、所定長ｌ押し込まれることで、中間ピン３５をタンブラピン３１Ｄの収容された内筒側ピン収容孔２７Ｄへ移動させて、この中間ピン３５と段付ドライバピン３９Ｆとの境をシアーライン５３に一致させる。
【００５１】
図１３に示した状態からリセットキー１５Ｄが時計回りに回転されると、図１４に示すように、中間ピン３５を内筒側ピン収容孔２７Ｄに収容したまま内筒１３が回転され、リセットキー１５Ｄが垂直姿勢まで回転された後、キー孔１７から抜脱されることで、図５に示したピン組合せと同一の状態、すなわち、中間ピン３５がドライバピン３９Ｄとタンブラピン３１Ｄとの間に位置する第一の配置位置ｓｔ１となり、第一のキー１５Ａをキー孔１７に挿入した状態で、タンブラピン３１Ｄの後部に配置された中間ピン３５とドライバピン３９Ｄとの境をシアーライン５３が一致することとなり、第一のキー１５Ａの使用が再び可能な状態へ、変換が完了する。
【００５２】
図１５は第一のキー用のピン組合せ位置でマスターキーが挿入された状態の断面図、図１６は第二のキー用のピン組合せ位置でマスターキーが挿入された状態の断面図である。
また、可逆変換錠１００は、図５に示すように、中間ピン３５が、第一のキー１５Ａの使用可能なピン組合せ位置、すなわち、タンブラピン３１Ｄの収容される内筒側ピン収容孔２７Ｄに配置されている第一の配置位置ｓｔ１の状態の場合、図１５に示すように、マスターキー１５Ｃがキー孔１７へ挿入されると、浅いディンプル２３Ｃ２がタンブラピン３１Ｄを半径方向外側へ移動させる。これにより、中間ピン３５が外筒側ピン収容孔２５Ｄへ移動され、中間ピン３５とタンブラピン３１Ｄとの境がシアーライン５３に一致して、マスターキー１５Ｃによる回動、すなわち施解錠操作が可能となる。
【００５３】
また、可逆変換錠１００は、図１０に示すように、中間ピン３５が、第二のキー１５Ｂの使用可能なピン組合せ位置、すなわち、切替タンブラピン３１Ｆの収容される他の内筒側ピン収容孔２７Ｆに配置され、この切替タンブラピン３１Ｆと段付ドライバピン３９Ｆとで第二の配置位置ｓｔ２とされている場合、図１６に示すように、マスターキー１５Ｃがキー孔１７へ挿入されると、浅いディンプル２３Ｃ２がタンブラピン３１Ｄを半径方向外側へ移動させ、タンブラピン３１Ｄとドライバピン３９Ｄとの境がシアーライン５３に一致する。また、マスターキー１５Ｃは、側縁部によって切替タンブラピン３１Ｆを半径方向外側へ移動し、切替タンブラピン３１Ｆと中間ピン３５との境をシアーライン５３に一致させて、上記同様、マスターキー１５Ｃによる回動、すなわち施解錠操作が可能となる。
【００５４】
したがって、可逆変換錠１００は、マスターキー１５Ｃを使用することにより、いずれの場合であっても、中間ピン３５とタンブラピン３１Ｄとの境、或いは中間ピン３５と切替タンブラピン３１Ｆとの境にシアーライン５３を一致させることができる。
【００５５】
したがって、本実施の形態による可逆変換錠１００によれば、リセットキー１５Ｃを用い、この挿入されたリセットキー１５Ｃにて、所定長、本実施の形態では半ピッチｌ引き抜かれることで切替タンブラピン３１Ｆの後部に配置された中間ピン３５を段付ドライバピン３９Ｆの収容される他の外筒側ピン収容孔２５Ｆへ移動させて中間ピン３５と切替タンブラピン３１Ｆとの境をシアーライン５３に一致させるとともに、所定角度回転の後、所定長ｌ押し込まれることで中間ピン３５をタンブラピン３１Ｄの収容された内筒側ピン収容孔２７Ｄへ移動させて中間ピン３５と段付ドライバピン３９Ｆとの境をシアーライン５３に一致させることとしたので、第二のキー１５Ｂが使用されることにより、第一のキー１５Ａが使用不能となった後、リセットキー１５Ｄが使用されることにより、第二のキー１５Ｂの使用状態で、第二の配置位置ｓｔ２における切替タンブラピン３１Ｆの収容された他の内筒側ピン収容孔２７Ｆに位置する中間ピン３５を、段付ドライバピン３９Ｆの収容される外筒側ピン収容孔２５Ｆへ一旦移動させ、この状態でリセットキー１５Ｄと共に内筒１３を所定角度回転の後、リセットキー１５Ｄを所定長押し込むことで、中間ピン３５をタンブラピン３１Ｄの収容された内筒側ピン収容孔２７Ｄへ移動させることができる。つまり、中間ピン３５が、第一のキー１５Ａの使用可能なピン組合せ位置（第一の配置位置ｓｔ１）に配置変換されることとなる。
【００５６】
これにより、電源供給等が不要で、第一のキー１５Ａから第二のキー１５Ｂへの変換が可能となるとともに、第二のキー１５Ｂへ変換した後であっても、再び第一のキー１５Ａへの変換が可能となる可逆変換錠１００を得ることができる。
【００５７】
また、本実施の形態による可逆変換錠１００によれば、中間ピン３５を、ドライバピン３９Ｄの収容される外筒側ピン収容孔２５Ｄへ移動させて中間ピン３５とタンブラピン３１Ｄとの境をシアーライン５３に一致させるとともに、中間ピン３５を、段付ドライバピン３９Ｆの収容される外筒側ピン収容孔２５Ｆへ移動させて中間ピン３５と切替タンブラピン３１Ｆとの境をシアーライン５３に一致させるマスターキー１５Ｃを備えたので、中間ピン３５が、第一のキー１５Ａの使用可能なピン組合せ位置に配置されている場合、或いは第二のキー１５Ｂの使用可能なピン組合せ位置に配置されているいずれの場合であっても、中間ピン３５とタンブラピン３１Ｄとの境、或いは中間ピン３５と切替タンブラピン３１Ｆとの境をシアーライン５３に一致させることができる。これにより、第一のキー１５Ａ、第二のキー１５Ｂのいずれの変換状態であっても、マスターキー１５Ｃでの使用が可能となる可逆変換錠１００を得ることができる。
【００５８】
［第２の実施の形態］
次に、本発明に係る可逆変換錠の第２の実施の形態を説明する。
図１７は第２の実施の形態に用いられる第一のキー、第二のキー、マスターキー及びリセットキーの要部平面視とその断面を表した説明図、図１８は第２の実施の形態に用いられるリセットキーが挿入された状態の断面図、図１９は第２の実施の形態に用いられるリセットキー回転状態を（ａ）、同状態においての断面図を（ｂ）、所定長引き抜き状態を（ｃ）、同状態においての断面図を（ｄ）で表した説明図、図２０はリセットを終えた第２の実施の形態に用いられるリセットキーが垂直位置へ回転される状態の断面図、図２１はリセットを終えた第２の実施の形態に用いられるリセットキーが抜脱された状態の断面図である。
この第２の実施の形態による可逆変換錠２００は、リセットキー１５Ｅが、上記の実施の形態に係る可逆変換錠１００と異なる。したがって、そのリセット動作も異なるものとなる。
【００５９】
この第２の実施の形態の可逆変換錠２００は、上記した第１の実施の形態の可逆変換錠１００と同様に、円筒状の外筒１１に、円筒状の内筒１３が回転自在に内設され、内筒１３の前端面１３ａにはキー１５の挿入されるキー孔１７が開口されている（図１参照）。  なお、外筒１１、内筒１３、及びこれらに配設されるタンブラピン３１Ａ〜３１Ｅ、切替タンブラピン３１Ｆ、ドライバピン３９Ａ〜３９Ｅ、段付ドライバピン３９Ｆ等、上記第１の実施の形態と同等の箇所には同符号を付し説明を省略する。
【００６０】
キー１５は、手指で摘む摘み部１９の一辺部に、キー孔１７に挿入される挿入部２１が突設され、挿入部２１の外面には複数の凹部状のキー溝（ディンプル）２３が形成されている。この第２の実施の形態による可逆変換錠２００に用いられる第一のキー１５Ａ、第二のキー１５Ｂ、マスターキー１５Ｃ、リセットキー１５Ｄは、図１７に示すように、同一位置（Ａ−Ａ断面，Ｂ−Ｂ断面，Ｃ−Ｃ断面，Ｈ−Ｈ断面）に形成される所定のディンプル２３の深さ形状が異なる。
【００６１】
すなわち、図１７（ａ）に示すように、第一のキー１５Ａは、Ａ−Ａ断面の所定位置にディンプル２３Ａ１，２３Ａ２が形成され、ディンプル２３Ａ１は浅く、ディンプル２３Ａ２は深い。
【００６２】
図１７（ｂ）に示すように、第二のキー１５Ｂは、Ｂ−Ｂ断面の所定位置に、ディンプル２３Ｂ１，２３Ｂ２，２３Ｂ３が形成され、ディンプル２３Ｂ１，２３Ｂ２は浅く、ディンプル２３Ｂ３は側縁に形成される。
【００６３】
図１７（ｃ）に示すように、マスターキー１５Ｃは、Ｃ−Ｃ断面の所定位置に、ディンプル２３Ｃ１，２３Ｃ２が形成され、ディンプル２３Ｃ１，２３Ｃ２は浅い。
【００６４】
図１７（ｄ）に示すように、リセットキー１５Ｅは、Ｈ−Ｈ断面の所定位置に、ディンプル２３Ｅ１，２３Ｅ２，２３Ｅ３が形成される。ディンプル２３Ｅ１は、Ｉ−Ｉ断面に亘る長穴で形成され、浅く形成される。ディンプル２３Ｅ２は、Ｉ−Ｉ断面の位置に至る長穴で形成され、浅く形成される。また、ディンプル２３Ｅ３は、Ｉ−Ｉ断面のディンプルの形成されない側縁部６１となっている。
【００６５】
ここで、上記した各キー１５Ａ，１５Ｂ，１５Ｃ，１５Ｅのそれぞれのディンプルの深さは、中間ピン３５の長さに対応するように形成されており、浅いディンプルの底から深いディンプルの底までの深さ距離の差分が、中間ピン３５の長さとされている。また、リセットキー１５Ｅにおける長穴の長さは、キーの長手方向に沿い、すなわち、キー孔１７の軸線方向に複数配設される各タンブラピンの間隔距離であるタンブラピッチＬの半分の長さｌに設定される（図１９（ａ）（ｃ）参照）。
【００６６】
次に、上記のように構成された第２の実施の形態の可逆変換錠２００の動作を説明する。
なお、この第２の実施の形態の可逆変換錠２００では、第一のキー１５Ａ、第二のキー１５Ｂ、及びマスターキー１５Ｃによる動作は、前述した第１の実施の形態の可逆変換錠１００と同様であるので、これらキー１５Ａ，１５Ｂ，１５Ｃによる動作の説明は省略し、リセットキー１５Ｅによる動作のみを説明する。
【００６７】
可逆変換錠２００は、リセットキー１５Ｅのリセット操作により、第二のキー１５Ｂの使用可能状態から、再び第一のキー１５Ａの使用可能状態へとピン組合せが変換される。
このリセットは、先ず、図１８に示すように、リセットキー１５Ｅがキー孔１７へ挿入される。リセットキー１５Ｅは、最初、図１９（ａ）に示すように、キー孔１７の最深まで挿入される。これにより、切替タンブラピン３１Ｆの先端ピン２９Ｆがディンプル２３Ｅ３に進入し、中間ピン３５が、切替タンブラピン３１Ｆの収容される他の内筒側ピン収容孔２７Ｆに収容される。
【００６８】
図１９（ｂ）に示すように、この状態からリセットキー１５Ｅが時計回りに４５°回転されると、他の内筒側ピン収容孔２７Ｆに収容された中間ピン３５が、ドライバピン３９Ｄを収容する外筒側ピン収容孔２５Ｄに一致する。この状態で、図１９（ｃ）に示すように、リセットキー１５Ｅが所定長（Ｈ−Ｈ断面とＩ−Ｉ断面間の距離）である半ピッチ分の距離ｌ引き抜かれる（矢線Ｑ）と、切替タンブラピン３１Ｆの先端ピン２９Ｆがキーの側縁部６１によって半径方向外側へ押圧され、図１９（ｄ）に示すように、中間ピン３５をドライバピン３９Ｄの収容される外筒側ピン収容孔２５Ｄへ移動させる。
【００６９】
図１９（ｄ）に示した状態、すなわち半ピッチ分の距離ｌを引いた状態から、リセットキー１５Ｅが反時計回りに４５°回転されると、図２０に示すように、中間ピン３５が外筒側ピン収容孔２５Ｄに残されたまま内筒１３が回転し、中間ピン３５にドライバピン３９Ｄが接するとともに、切替タンブラピン３１Ｆが段付ドライバピン３９Ｆに接することとなる。
【００７０】
図２０に示した状態からリセットキー１５Ｅが抜かれると、図２１に示すように、中間ピン３５がドライバピン３９Ｄによって押圧され、タンブラピン３１Ｄの収容される内筒側ピン収容孔２７Ｄへと移動されて、図２に示したピン組合せと同一の状態、すなわち中間ピン３５が第一の配置位置ｓｔ１となり、第一のキー１５Ａの使用が再び可能な状態へ、変換が完了する。
【００７１】
この可逆変換錠２００によれば、キー孔１７に挿入されたリセットキー１５Ｅが所定角度回転されることにより、第二のキー１５Ｂの使用状態で、切替タンブラピン３１Ｆの収容された他の内筒側ピン収容孔２７Ｆに位置（第二の配置位置ｓｔ２）する中間ピン３５を、ドライバピン３９Ｄの収容される外筒側ピン収容孔２５Ｄへ一旦移動させ、この状態でリセットキー１５Ｅを所定長である半ピッチｌ引き抜くことで、切替タンブラピン３１Ｆの後部に配置された中間ピン３５をドライバピン３９Ｄの収容される外筒側ピン収容孔２５Ｄへ移動させ、上記の所定角度回転と逆方向に所定角度回転することで、中間ピン３５が、第一のキー１５Ａの使用可能なピン組合せ位置（第一の配置位置ｓｔ１）に配置変換されることとなる。
【００７２】
これにより、電源供給が不要で、第一のキー１５Ａから第二のキー１５Ｂへの変換が可能となるとともに、第二のキー１５Ｂへ変換した後であっても、再び第一のキー１５Ａへの変換が可能となる可逆変換錠２００を得ることができる。
【００７３】
また、第１の実施の形態のリセットキー１５Ｄを用いた場合、
（１）リセットキー１５Ｄの挿入
（２）所定長（半ピッチｌ）の引き抜き
（３）反時計回り（４５°）回転
（４）所定長（半ピッチｌ）の押し込み
（５）時計回り（４５°）回転
（６）キーの抜脱
の合計６動作が必要であるのに対し、この第２の実施の形態によるリセットキー１５Ｅを用いた場合では、
（１）リセットキー１５Ｅの挿入
（２）時計回り（４５°）回転
（３）所定長（半ピッチｌ）の引き抜き
（４）反時計回り（４５°）回転
（５）キーの抜脱
の合計５動作で完了し、少ない動作でリセットを行うことができる。
【００７４】
なお、上記した第１、第２の実施の形態では、第一のキー１５Ａ、第二のキー１５Ｂ、マスターキー１５Ｃを用いる場合を例に説明したが、本発明に係る可逆変換錠は、これらのキー種に限られて用いられるものではなく、例えば、第１ルームキー、第２ルームキー、マスターキー、或いは第１カスタマーキー、第２カスタマーキー、マスターキー、さらには、入居者のいる期間とリフォーム等の工事期間中とをわける場合等として用いられても良い。すなわち、本発明の構成は、２つのピン組合せ位置に可逆的に変換可能であり、かつ、いずれのピン組合せ位置であっても一つのマスターキーで施解錠が可能となるものとされればよい。
【図面の簡単な説明】
【００７５】
【図１】本発明に係る第１の実施の形態の可逆変換錠の斜視図である。
【図２】図１に示した可逆変換錠の軸線直交方向の断面図である。
【図３】図２に示した可逆変換錠の分解断面図である。
【図４】第一のキー、第二のキー、マスターキー及びリセットキーの要部平面視とその断面を表した説明図である。
【図５】第一のキーが挿入された状態の断面図である。
【図６】第一のキーが時計回りに回転された状態の断面図である。
【図７】第二のキーが挿入された状態の断面図である。
【図８】第二のキーが時計回りに回転された状態の断面図である。
【図９】第二のキーへの変換が完了した状態の断面図である。
【図１０】第二のキーが抜かれた状態の断面図である。
【図１１】リセットキー押し込み状態を（ａ）、同状態においての断面図を（ｂ）、所定長引き抜き状態を（ｃ）、同状態においての断面図を（ｄ）で表した説明図である。
【図１２】リセットキーを引き抜き状態で反時計回りに回転させた状態の断面図である。
【図１３】リセットキーが押し込まれた状態の断面図である。
【図１４】リセットを終えたリセットキーが垂直位置へ回転される状態の断面図である。
【図１５】第一のキー用のピン組合せ位置でマスターキーが挿入された状態の断面図である。
【図１６】第二のキー用のピン組合せ位置でマスターキーが挿入された状態の断面図である。
【図１７】第２の実施の形態に用いられる第一のキー、第二のキー、マスターキー及びリセットキーの要部平面視とその断面を表した説明図である。
【図１８】第２の実施の形態に用いられるリセットキーが挿入された状態の断面図である。
【図１９】第２の実施の形態に用いられるリセットキー回転状態を（ａ）、同状態においての断面図を（ｂ）、所定長引き抜き状態を（ｃ）、同状態においての断面図を（ｄ）で表した説明図である。
【図２０】リセットを終えた第２の実施の形態に用いられるリセットキーが垂直位置へ回転される状態の断面図である。
【図２１】リセットを終えた第２の実施の形態に用いられるリセットキーが抜脱された状態の断面図である。
【符号の説明】
【００７６】
１１…外筒
１３…内筒
１５Ａ…第一のキー
１５Ｂ…第二のキー
１５Ｃ…マスターキー
１５Ｄ，１５Ｅ…リセットキー
１７…キー孔
２５…外筒側ピン収容孔
２５Ｆ…他の外筒側ピン収容孔
２７…内筒側ピン収容孔
２７Ｆ…他の内筒側ピン収容孔
３１…タンブラピン
３１Ｆ…切替タンブラピン
３５…中間ピン
３９…ドライバピン
３９Ｆ…段付ドライバピン
５３…シアーライン
１００，２００…可逆変換錠
ｓｔ１…第一の配置位置
ｓｔ２…第二の配置位置
【図１】
2006322165.tif 000003
【図２】
2006322165.tif 000004
【図３】
2006322165.tif 000005
【図４】
2006322165.tif 000006
【図５】
2006322165.tif 000007
【図６】
2006322165.tif 000008
【図７】
2006322165.tif 000009
【図８】
2006322165.tif 000010
【図９】
2006322165.tif 000011
【図１０】
2006322165.tif 000012
【図１１】
2006322165.tif 000013
【図１２】
2006322165.tif 000014
【図１３】
2006322165.tif 000015
【図１４】
2006322165.tif 000016
【図１５】
2006322165.tif 000017
【図１６】
2006322165.tif 000018
【図１７】
2006322165.tif 000019
【図１８】
2006322165.tif 000020
【図１９】
2006322165.tif 000021
【図２０】
2006322165.tif 000022
【図２１】
2006322165.tif 000023